(57)【要約】      （修正有）【課題】納骨開口部が大きく納骨しやすく、納骨収納部が見やすい墓石の提供。  【解決手段】  石材で台石１を作り、台石１中央後ろ側の一部を納骨開口部１０として切り取り、上面の前側に前引き戸用溝７を彫りこむ。台の中央部にお参り用品を収納できるようなスペースを取り、下引き戸用溝１２を彫りこんだ側板２を台石１上面の両側に接着する。その両側に特許登録３０１２２００号の石製燈篭４及び石製燈篭用扉４を台石１及び側板２に接着する。これらの上部に下面に前引き戸用溝、後ろ側側面に後ろ引き戸用溝を彫りこんだ天板石３を接着する。できあがった本物品に前引き戸１４、吊り金具を取り付けた後ろ引き戸５、下引き戸１５をはめ込む。【選択図】  図１
2006214258.tif 000002
【特許請求の範囲】
【請求項１】
石材で、香呂、皿、コップなどお参り用品を収納できる箱形の香炉を作り、香炉の底部である台石の後ろ側の一部を切り取り納骨開口部とし、前側に、左右に開くことのできる前引き戸を取り付け、後ろ側にも同じように開閉できる吊金具を取り付けた後ろ引き戸を取り付け、下側に手前にスライドする下引き戸を取り付け、前引き戸を開き、後ろ引き戸を開き、下引き戸を手前にスライドさせ、開いた後ろ側納骨開口部と下側納骨開口部を通して遺骨を、墓石本体下部の収納部に納骨できるようにした墓石用香炉。
【請求項２】
香炉の両側に特許登録３０１２２００号の石製燈篭及び石製燈篭用扉を取り付けた請求項１の墓石用香炉。
【発明の詳細な説明】
【技術分野】
【０００１】  この発明は墓石前面に置き、両側に特許登録３０１２２００号の石製燈篭及び石製燈篭用扉を組み込んだ墓石用香炉で、納骨のときは前引き戸を開き、後ろ引き戸を開き、下引き戸を手前にスライドさせ、同香炉を通過して、遺骨を収納部に納骨できるようにした墓石用香炉に関するものである。
【背景技術】
【０００２】  墓石用香炉は、墓石本体前側の納骨収納口をふさぐ香炉と言われる石材の上部に金属製のロウソク立て、線香立ての金具を取り付けたもの、特許登録３０３２４９５号のような香炉、出願２００４−２９０７５７号のような香炉がある。
【特許文献１】  特許登録３０１２２００号
【特許文献２】  特許登録３０３２４９５号
【特許文献３】  出願２００４−２９０７５７号
【発明の開示】
【発明が解決しようとする課題】
【０００３】  今までの納骨収納口をふさぐ香炉については、重量が大であり、女性、老人では動かせなかった。特許登録３０３２４９５号のような香炉では納骨の時、香炉を解体しなければならず不便なものであった。出願２００４−２９０７５７号のような香炉では、香炉の厚み分だけ納骨収納口が奥になるため納骨が入れづらく、納骨収納部が見えにくいため、後に親族からの分骨の依頼を受けることも困難であり、墓地が粘土地の場合、左右、前後に新しい墓石が建立されると地下水の水位の変化があり、納骨室内に水が溜まることがあった、その確認も難しかった。
【課題を解決するための手段】
【０００４】  本発明は上記問題を解決するために考案されたものである。墓石本体の納骨入り口である開口部の下側の台石、あるいは敷石の一部を開口部と続きになるよう切り取り、その前面に以下のような香炉を設置する。石材で台石を作り、台石中央後ろ側の一部を納骨開口部として切り取り、上面の前側に前引き戸用溝を彫りこむ。台石の中央部にお参り用品を収納できるようなスペースを取り、下引き戸用溝を彫りこんだ側板を台石上面の両側に接着する。その両側に特許登録３０１２２００号の石製燈篭及び石製燈篭用扉を台石及び側板に接着する。これらの上部に下面に前引き戸用溝、後ろ側側面に後ろ引き戸用溝を彫りこんだ天板石を接着する。できあがった本物品に前引き戸、吊り金具を取り付けた後ろ引き戸、下引き戸をはめ込み完成とする。
【発明の効果】
【０００５】  石材で箱型の香炉を作り、開閉できる前引き戸、後ろ引き戸、下引き戸を取り付けた香炉を製作し、その両側に特許登録３０１２２００号の石製燈篭及び石製燈篭用扉をとり付けた。このことにより以下のような問題点を解消できた
（イ）出願２００４−２９０７５７号のような香炉では、香炉の厚み分だけ納骨収納口が奥になるため納骨が入れづらかったが、本考案の香炉では下引き戸を手前にスライドさせた分だけ納骨開口部が近くなり、下引き戸が納骨時のテーブルとして利用でき、納骨が楽にできるようになった。
（ロ）後ろ側納骨開口部と下側納骨開口部を続きにし、開口部を大きくしたため、下に続く納骨室を見ることができ、親族からの分骨の依頼、地下水の水位の変化にも対処することができるようになった。
（ハ）石材の上部に金属製のロウソク立て、線香立ての金具を取り付けた香炉では重量が大であり、女性、老人では動かせなかったが本香炉では前引き戸、後ろ引き戸、下引き戸を開けるだけで納骨できる。
（ニ）特許登録３０３２４９５号のような香炉では納骨の時、香炉を解体しなければならなかったが、上記のような理由で簡単に納骨できる。
（ホ）本香炉に特許登録３０１２２００号の石製燈篭及び石製燈篭用扉を組み込んだ為、少しの風でもロウソクの火が消えることもなく、スッキリとしたデザインにすることができた。
【発明を実施するための最良の形態】
【０００６】  以下、本発明の実施の形態を説明する。
（イ）台石（１）を製作し、上面に前引き戸用溝（７）を彫りこみ、台石中央後ろ側の一部を下側納骨開口部（１０）として切り取る。
（ロ）収納空間部（９）を作るため、下引き戸用溝（１２）を彫りこんだ側板（２）を台石（１）に接着する。
（ハ）台石（１）、側板（２）の両側に石製燈篭及び石製燈篭用扉（４）を接着する。
（ニ）天板石（３）の下面に天板石前引き戸用溝（１３）、裏側側面に後ろ引き戸用溝（８）を彫りこむ。
（ホ）天板石（３）を側板（２）、石製燈篭及び石製燈篭用扉（４）に接着する。
（ヘ）後ろ引き戸（５）に後ろ引き戸用吊金具（６）を取り付ける。
（ト）組みあがった本香炉に、前引き戸（１４）、後ろ引き戸（５）、下引き戸（１５）をはめ込む。
（チ）台石（１）の上部、石製燈篭及び石製燈篭用扉（４）の両側に雨水用側板（１６）を接着する。
（リ）本香炉を、墓石本体納骨入り口前面に設置する。
本考案の香炉は以上のような構造で、納骨のときは前引き戸（１４）、後ろ引き戸（５）を開き、下引き戸（１５）手前にスライドさせ、開いた下側納骨開口部（１０）及び後ろ側納骨開口部（１１）から遺骨を遺骨収納部に納める。納骨を終えた後は、後ろ引き戸（５）を閉め、下引き戸（１５）を後ろにスライドさせ、取り出したおまいり用品を収納空間部（９）に納め、前引き戸（１４）を閉め終了とする。
【図面の簡単な説明】
【０００７】
【図１】本発明の分解斜視図
【図２】本発明の正面図
【図３】本発明の前、後ろ引き戸を開き、下引き戸をスライドさせた時のＡ−Ａ線断面図
【図４】本発明の背面図
【符号の説明】
【０００８】  １  台石
２  側板
３  天板石
４  石製燈篭及び石製燈篭用扉
５  後ろ引き戸
６  後ろ引き戸用吊金具
７  前引き戸用溝
８  後ろ引き戸用溝
９  収納空間部
１０  下側納骨開口部
１１  後ろ側納骨開口部
１２  下引き戸用溝
１３  天板石前引き戸用溝
１４  前引き戸
１５  下引き戸
１６  雨水用側板
【図１】
2006214258.tif 000003
【図２】
2006214258.tif 000004
【図３】
2006214258.tif 000005
【図４】
2006214258.tif 000006